(57)【要約】【課題】キャップ開封前及びキャップ開封後の何れにおいても、封緘用のラベルシールを容易に引き剥がすことができる封緘用ラベルシール付きキャップ容器を提供する。【解決手段】本体容器２の外周面とキャップ３の外周面との境界Ｓに跨って貼着される封緘用のラベルシール１０は、一面に粘着剤が塗布された接着面部１１と、接着面部１１と連続する粘着剤の未塗布部分であって、境界Ｓと交わる一方の側端部に位置して境界Ｓを跨るように設けられた非着面部１１と、接着面部１１及び非着面部１２をそれぞれ境界Ｓに沿って破断させる破断目１３とを有し、キャップ３の初回開封時に、破断目１３によって本体容器２側とキャップ３側とに分断された接着面部１１ａ，１１ｂのそれぞれに非着面部１２ａ，１２ｂが残存するようにした。【選択図】図２
0003131891.tif 000002
【実用新案登録請求の範囲】
【請求項１】
筒状の外周面を有する本体容器と、
前記本体容器に着脱自在に被せられると共に、前記本体容器の外周面と面一となる筒状の外周面を有するキャップと、
前記本体容器の外周面と前記キャップの外周面との境界に跨って貼着される封緘用のラベルシールとを備え、
前記ラベルシールは、一面に粘着剤が塗布された接着面部と、前記接着面部と連続する前記粘着剤の未塗布部分であって、前記境界と交わる一方の側端部に位置して前記境界を跨るように設けられた非着面部と、前記接着面部及び前記非着面部をそれぞれ前記境界に沿って破断させる破断目とを有し、
前記キャップの初回開封時に、前記破断目によって前記本体容器側と前記キャップ側とに分断された前記接着面部のそれぞれに前記非着面部が残存するようにしたことを特徴とする封緘用ラベルシール付きキャップ容器。
【請求項２】
前記破断目は、前記境界に沿って前記接着面部及び前記非着面部に切り込まれた複数のスリットからなるミシン目であることを特徴とする請求項１に記載の封緘用ラベルシール付きキャップ容器。
【請求項３】
更に、前記境界を挟んだ両側に前記境界に沿ったミシン目と平行に並ぶ複数のミシン目を有することを特徴とする請求項２に記載の封緘用ラベルシール付きキャップ容器。
【請求項４】
前記非着面部の先端部に前記境界に沿った切れ込みを有することを特徴とする請求項１〜３の何れか一項に記載の封緘用ラベルシール付きキャップ容器。
【請求項５】
前記本体容器は、押しボタンを押圧操作することによりバルブ機構を開放し、当該押しボタンと一体に押し下げられたステムを通じて内容物を前記押しボタンに設けられた噴射口から噴射するエアゾール缶であることを特徴とする請求項１〜４の何れか一項に記載の封緘用ラベルシール付きキャップ容器。
【請求項６】
前記押しボタンは、側方から突出するノズルを有し、
前記ラベルシールは、前記ノズルの先端と対向する側の面を避けた位置に貼着されていることを特徴とする請求項５に記載の封緘用ラベルシール付きキャップ容器。
【考案の詳細な説明】
【技術分野】
【０００１】
本考案は、本体容器とキャップとの境界に跨って封緘用のラベルシールが貼着されてなる封緘用ラベルシール付きキャップ容器に関する。
【背景技術】
【０００２】
本体容器にキャップが被せられたキャップ容器では、不正開封による改竄（かいざん）等を防止するために、薄いプラスチックフィルム（包装フィルム）で容器全体を被覆することが行われている（一般に、シュリンク包装という。）。また、このシュリンク包装では、包装フィルムの開封性を良くするために、この包装フィルムに本体容器とキャップとの境界に沿ってミシン目を設けることが行われている（例えば、特許文献１を参照。）。
【０００３】
しかしながら、シュリンク包装の場合、包装フィルムに形成されたミシン目を本体容器とキャップとの境界部分に正確に位置合わせすることが難しく、ミシン目が位置ズレした場合には、包装フィルムの開封性が悪くなる。このようなミシン目の位置ズレを防ぐため、容器全体を包装フィルムで被覆した後に、本体容器とキャップとの境界部分にレーザー加工等によりミシン目を入れることも考えられる。しかしながら、このようなレーザー加工により容器の全周に亘ってミシン目を入れようとした場合には、そのための特別な設備が必要となり、製造コストが嵩むことになる。
【０００４】
一方、キャップ容器では、上述したシュリンク包装は行わず、本体容器とキャップとの境界に跨って封緘用のラベルシールを貼着することによって、キャップの未開封を保証することが行われている（例えば、特許文献２を参照。）。この封緘用のラベルシールを貼着する場合には、封緘前にラベルシールに形成したミシン目を本体容器とキャップとの境界に対して正確に位置合わせすることが可能である。また、このラベルシールによって封緘されたキャップ容器では、キャップを本体容器に対して回動しながらミシン目を破断することで、キャップを容易に開封することが可能である。
【０００５】
ところで、このような封緘用ラベルシール付きキャップ容器では、キャップ開封後にミシン目によって分断されたラベルシールが本体容器側とキャップ側に貼着した状態のまま残存することになる。このように分断されたラベルシールは、引き剥がしづらく、無理に引き剥がそうとすると、ラベルシールの表層だけが剥がれたり、粘着剤がこびり付いたりして、見栄えが非常に悪くなる。
【０００６】
ラベルシールの中には、粘着剤の未塗布部分である摘み片（タブ）を角部に設けたり、側端部から突出して設けたりして、この摘み片を摘んでラベルシールを引き剥がし易くしたものもある。しかしながら、上述した封緘用のラベルシールの場合、キャップ開封後にラベルシールが本体容器側とキャップ側とに分断されるため、このような摘み片については本体容器側及びキャップ側にそれぞれ別個に設けなければならない。このため、キャップ開封前にラベルシールを引き剥がす場合には、分断前のラベルシールをまとめて引き剥がすことはできず、本体容器側に貼着されたラベルシールの一方と、キャップ側に貼着されたラベルシールの他方とを、それぞれミシン目で破断させながら別個に引き剥がす必要が生じてしまう。
【０００７】
一方、封緘用ラベルシール付きキャップ容器では、上述したキャップを回動してミシン目を破断してからキャップを取り外すといった操作を行わずに、ラベルシールによって封緘されたキャップをそのまま強引に取り外そうとする場合も考えられる。この場合、ミシン目の位置からキャップを開封しないと、必要以上に強い力でキャップをこじ開けることになる。
【０００８】
例えば、ステムの先端部にノズルボタンが取り付けられたエアゾール缶（スプレー缶）や、ステムの先端部にノズルヘッドが取り付けられたポンプ容器（ノンエアゾール型容器）などでは、強引にこじ開けられたキャップと接触したノズルボタンやノズルヘッドに強い衝撃が加わると、ノズルボタンやノズルヘッドが外れたり、一緒に倒れ込んだステムが変形又は破損したりすることがある。特に、比較的容量の小さい本体容器では、その外径も小さくなっており、この本体容器に被せられるキャップについては、ノズルボタンやノズルヘッドを収納するのに必要な空間を確保するため、その外径が本体容器とほぼ同径となっている。この場合、ノズルボタンやノズルヘッドのノズル先端がキャップの内面と非常に近接した状態となるため、キャップ開封時にノズル先端にキャップが接触してしまう可能性が非常に高くなる。
【０００９】
なお、本考案に関連する公知文献としては、例えば下記特許文献３〜６がある。
このうち、特許文献３には、封印用ラベルに形成されたミシン目の両側に粘着剤の非塗布部分を設けた構成が記載されている。しかしながら、この特許文献３に記載される粘着剤の非塗布部分は、キャップ開封時にミシン目を容易に破断させることを目的としたものであり、この粘着剤の非塗布部分によって封印用ラベルをキャップ開封前及びキャップ開封後において容易に引き剥がすことについては全く考慮されていない。
【００１０】
一方、特許文献４には、相互に離れた接着剤塗布部の間に接着剤が未塗布の非接着部を設け、この非接着部を接着剤塗布部の間で帯状に破断させるミシン目を設けた構成が記載されている。しかしながら、この特許文献４に記載される非接着部は、封緘用ラベルの開封作業を容易に行うことを目的としたものであり、この接着剤塗布部によって接着剤塗布部をキャップ開封前及びキャップ開封後において容易に引き剥がすことについては全く考慮されていない。
【００１１】
一方、特許文献５には、容器本体と蓋体あるいは栓体との夫々に跨って貼着する帯状シートの一側縁に沿って一部を残して切れ目を入れた未開封保証レーベルが記載されている。しかしながら、この特許文献５に記載される切れ目は、キャップを容易に開封することを目的としたものであり、キャップ開封前及びキャップ開封後においてレーベルを容易に引き剥がすことについては全く考慮されていない。
【００１２】
一方、特許文献６には、シート基材に複数のスリットからなるミシン目を設け、これら複数のスリットのうち蓋部の開閉側端部に最も近いスリットがシール基材の端縁部から切り込まれている構成が記載されている。しかしながら、この特許文献６に記載されるミシン目は、キャップを容易に開封することを目的としたものであり、キャップ開封前及びキャップ開封後においてシールを容易に引き剥がすことについては全く考慮されていない。
【特許文献１】特許第３２６５３２４号
【特許文献２】特開２００６−２４３４８３号公報
【特許文献３】実開平３−４５５７７号公報
【特許文献４】実開平３−６６８７３号公報
【特許文献５】特開平９−１２７８７５号公報
【特許文献６】特開２００５−１９６０２３号公報
【考案の開示】
【考案が解決しようとする課題】
【００１３】
本考案は、このような従来の事情に鑑みて提案されたものであり、その目的は、キャップ開封前及びキャップ開封後の何れにおいても、封緘用のラベルシールを容易に引き剥がすことができる封緘用ラベルシール付きキャップ容器を提供することにある。
また、本考案の別の目的は、そのような封緘用のラベルシールを貼着した場合において、キャップの初回開封時に強引にこじ開けられたキャップと他の部分とが接触することを防止した封緘用ラベルシール付きキャップ容器を提供することにある。
【課題を解決するための手段】
【００１４】
この目的を達成するために、請求項１に係る考案は、筒状の外周面を有する本体容器と、前記本体容器に着脱自在に被せられると共に、前記本体容器の外周面と面一となる筒状の外周面を有するキャップと、前記本体容器の外周面と前記キャップの外周面との境界に跨って貼着される封緘用のラベルシールとを備え、前記ラベルシールが、一面に粘着剤が塗布された接着面部と、前記接着面部と連続する前記粘着剤の未塗布部分であって、前記境界と交わる一方の側端部に位置して前記境界を跨るように設けられた非着面部と、前記接着面部及び前記非着面部をそれぞれ前記境界に沿って破断させる破断目とを有し、前記キャップの初回開封時に、前記破断目によって前記本体容器側と前記キャップ側とに分断された前記接着面部のそれぞれに前記非着面部が残存するようにしたことを特徴とする封緘用ラベルシール付きキャップ容器である。
【００１５】
また、請求項２に係る考案は、前記破断目が、前記境界に沿って前記接着面部及び前記非着面部に切り込まれた複数のスリットからなるミシン目であることを特徴とする請求項１に記載の封緘用ラベルシール付きキャップ容器である。
【００１６】
また、請求項３に係る考案は、更に、前記境界を挟んだ両側に前記境界に沿ったミシン目と平行に並ぶ複数のミシン目を有することを特徴とする請求項２に記載の封緘用ラベルシール付きキャップ容器である。
【００１７】
また、請求項４に係る考案は、前記非着面部の先端部に前記境界に沿った切れ込みを有することを特徴とする請求項１〜３の何れか一項に記載の封緘用ラベルシール付きキャップ容器である。
【００１８】
また、請求項５に係る考案は、前記本体容器が、押しボタンを押圧操作することによりバルブ機構を開放し、当該押しボタンと一体に押し下げられたステムを通じて内容物を前記押しボタンに設けられた噴射口から噴射するエアゾール缶であることを特徴とする請求項１〜４の何れか一項に記載の封緘用ラベルシール付きキャップ容器である。
【００１９】
また、請求項６に係る考案は、前記押しボタンが、側方から突出する噴射ノズルを有し、前記ラベルシールが、前記噴射ノズルの先端と対向する側の面を避けた位置に貼着されていることを特徴とする請求項５に記載の封緘用ラベルシール付きキャップ容器である。
【考案の効果】
【００２０】
以上のように、請求項１に係る考案では、キャップの初回開封時に、破断目によって本体容器側とキャップ側とに分断された接着面部のそれぞれに非着面部が残存するようにしたことで、キャップ開封後に、本体容器側に貼着された一方の接着面部と、キャップ側に貼着された他方の接着面部とを、それぞれに残存した非着面部を摘んで容易に引き剥がすことが可能である。一方、キャップ開封前にラベルシールを引き剥がす場合には、破断目を破断させることなく、この場合も非着面部を摘んで接着面部を容易に引き剥がすことが可能である。
【００２１】
また、請求項２に係る考案では、破断目をミシン目とすることで、不正開封による改竄等を防止することができる。
【００２２】
また、請求項３に係る考案では、更に、境界に沿ったミシン目と平行に並ぶ複数のミシン目を設けることで、ミシン目を本体容器とキャップとの境界部分に正確に位置合わせしなくても、キャップ開封時に何れかのミシン目によって接着面部及び非着面部を容易に破断させることができる。
【００２３】
また、請求項４に係る考案では、非着面部の先端部に境界に沿った切れ込みを設けることで、キャップ開封時に非着面部を容易に破断させることができる。また、非着面部の分断後の形状を摘み易い形状とすることができる。
【００２４】
また、請求項５に係る考案では、本体容器がエアゾール缶の場合においても、封緘用のラベルシールを容易に引き剥がすことができる。
【００２５】
また、請求項６に係る考案では、ノズルの先端と対向する側の面を避けた位置にラベルシールを貼着することで、キャップ開封時にノズルにキャップが接触することを防ぐことができる。これにより、押しボタンが外れたり、押しボタンと一緒に倒れ込んだステムが変形又は破損したりすることを未然に防止することができる。
【考案を実施するための最良の形態】
【００２６】
以下、本考案を適用した封緘用ラベルシール付きキャップ容器について、図面を参照して詳細に説明する。
本考案の一実施形態として図１に示す封緘用ラベルシール付きキャップ容器（以下、キャップ容器という。）１は、本体容器であるエアゾール缶２と、エアゾール缶２に着脱自在に被せられるカバーキャップ３とを備えている。
【００２７】
エアゾール缶２は、例えばスチールやアルミニウム等からなる略円筒状の耐圧容器（スプレー缶ともいう。）である。このエアゾール缶２は、その上部中央から突出して設けられ、且つ、上方に付勢された状態で上下方向に移動可能に支持されたステム（図示せず。）と、このステムを下方に押圧することにより開放されるバルブ機構（図示せず。）と、ステムの先端に取り付けられた押しボタン４とを備えている。また、押しボタン４には、ノズル４ａが側方から突出して設けられている。そして、このエアゾール缶２は、押しボタン４を押圧操作することによりバルブ機構を開放し、押しボタン４と一体に押し下げられたステムを通じて内容物をノズル４ａの先端（噴射口）から噴射することが可能となっている。
【００２８】
なお、エアゾール缶２の内容物は、例えば殺虫剤や忌避剤、殺菌剤、芳香剤、消臭剤などの中から選ばれる有効成分の他に、必要に応じて溶剤や補助剤などを含む原液と、液体ガスや圧縮ガスなどの噴射剤とが充填されたものからなる。
【００２９】
カバーキャップ３は、非使用時に押しボタン４等を保護するためのものであり、例えば天面が閉塞された略円筒状の透明又は半透明なプラスチック材料からなる。また、カバーキャップ３は、上述したノズル４ａが設けられた押しボタン４を収納するのに必要な空間を確保するため、その外径がエアゾール缶２とほぼ同径となっている。すなわち、このキャップ容器１では、エアゾール缶２にカバーキャップ３を被せた状態において、エアゾール缶２の外周面とカバーキャップ３の外周面とが面一となっている。
【００３０】
そして、このキャップ容器１には、カバーキャップ３の未開封を保証するための封緘用のラベルシール１０が、エアゾール缶２の外周面とカバーキャップ３の外周面との境界Ｓに跨って貼着されている。
【００３１】
具体的に、このラベルシール１０は、図２に拡大して示すように、一面に粘着剤が塗布されたシール面（接着面部）１１と、このシール面１１と連続する粘着剤の未塗布部分であって、境界Ｓと交わる一方の側端部に位置して境界Ｓを跨るように設けられた摘み片（非着面部）１２と、シール面１１及び摘み片１２をそれぞれ境界Ｓに沿って破断させるミシン目（破断目）１３とを有している。
【００３２】
このうち、シール面１１は、エアゾール缶２とカバーキャップ３との境界Ｓに跨って貼着される部分であり、エアゾール缶２とカバーキャップ３との境界部分を封緘するのに充分な大きさを有している。摘み片１２は、シール面１１よりも小さく、シール面１１の境界Ｓと交わる方向の一側端部の略中央部から突出して設けられている。ミシン目１３は、直線状に切り込まれた複数のスリットからなり、シール面１１及び摘み片１２の略中央部を境界Ｓと平行な方向に分断するように形成されている。
【００３３】
そして、このラベルシール１０は、ミシン目１３を本体容器とキャップとの境界Ｓに一致させた状態で貼着されている。また、このラベルシール１０は、ノズル４ａの先端と対向する側の面を避けた位置に貼着されている。
【００３４】
なお、ラベルシール１０の材質については、特に限定されないものの、例えば、ＰＰ（ポリプロピレン）、ＰＥＴ（ポリエチレンテレフタレート）等の樹脂フィルムを用いることができる。また、このような樹脂フィルムからなるラベルシール１０の表面には印刷などを施すことができる。なお、ラベルシール１０が一軸延伸の樹脂フィルムからなる場合は、その延伸方向と平行にミシン目１３を設けることによって、キャップ開封時にミシン目１３を破断し易くすることが可能である。また、本考案では、表面に印刷などが施された紙製のラベルシールを用いてもよい。シール面１１に塗布される粘着剤については、特に限定されないものの、例えばアクリル系の強粘着剤等を用いることができる。
【００３５】
以上のような封緘用のラベルシール１０が貼着されたキャップ容器１では、カバーキャップ３をエアゾール缶２に対して回動しながらミシン目１３を破断することで、カバーキャップ３を容易に開封することが可能である。そして、このキャップ容器１では、カバーキャップ３の初回開封後に、ミシン目１３によって分断されたラベルシール１０がエアゾール缶２側とカバーキャップ３側に貼着した状態のまま残存するため、不正開封による改竄等を防止することが可能となっている。
【００３６】
ところで、本考案の封緘用ラベルシール付きキャップ容器１では、カバーキャップ３の初回開封時に、ミシン目１３によってエアゾール缶２側とカバーキャップ３側とに分断されたシール面１１ａ，１１ｂのそれぞれに摘み片１２ａ，１２ｂが残存することになる。したがって、このキャップ容器１では、カバーキャップ３の開封後に、エアゾール缶２側に貼着された一方のシール面１１ａと、カバーキャップ３側に貼着された他方のシール面１１ｂとを、それぞれに残存した摘み片１２ａ，１２ｂを摘んで容易に引き剥がすことが可能である。
【００３７】
また、本考案の封緘用ラベルシール付きキャップ容器１では、上述した図１に示すように、ノズル４ａの先端と対向する側の面を避けた位置にラベルシール１０が貼着されていることが好ましい。この場合、上述したカバーキャップ３を回動してミシン目１３を破断してからカバーキャップ３を取り外すといった操作を行わずに、ラベルシール１０によって封緘されたカバーキャップ３をそのまま強引に取り外そうとした場合でも、ノズル４ａの先端にカバーキャップ３が接触することを防ぐことが可能である。したがって、このキャップ容器１では、押しボタン４が外れたり、押しボタン４と一緒に倒れ込んだステムが変形又は破損したりすることを未然に防止することが可能である。
【００３８】
なお、本考案を適用したラベルシール１０は、上記実施形態のものに必ずしも限定されるものではなく、本考案の趣旨を逸脱しない範囲において種々の変更を加えることが可能である。なお、以下の説明では、上記ラベルシール１０と同等の部位については、説明を省略すると共に、図面において同じ符号を付すものとする。
【００３９】
本考案では、例えば図３に示すように、上記摘み片１２の先端部に境界Ｓに沿った切れ込み１４を設けた構成としてもよい。この場合、キャップ開封時に摘み片１２ａ，１２ｂを容易に破断させることが可能である。また、摘み片１２ａ，１２ｂの分断後の形状を摘み易い形状とすることが可能である。
【００４０】
また、本考案では、例えば図４（ａ），（ｂ）に示すように、境界Ｓを挟んだ両側（場合によっては片側）に境界Ｓに沿ったミシン目１３と平行に並ぶ複数のミシン目１３を設けた構成としてもよい。この場合、ミシン目１３をエアゾール缶２とカバーキャップ３との境界部分に正確に位置合わせしなくても、キャップ開封時に何れかのミシン目１３によってシール面１１ａ，１１ｂ及び摘み片１２ａ，１２ｂを容易に破断させることが可能である。
【００４１】
また、本考案では、上述した直線状に切り込まれた複数のスリットからなるミシン目１３に限らず、シール面１１及び摘み片１２を破断させる破断目については、種々の形状とすることができる。具体的に、破断目については、例えば、図５（ａ）に示すように、斜線状に切り込まれた複数のスリットからなる破断目１３ａを設けた構成としてもよい。また、図５（ｂ）に示すように、楔（くさび）状に切り込まれた複数のスリットからなる破断目１３ｂを設けた構成としてもよい。
【００４２】
また、本考案では、上述したラベルシール１０の形状に限らず、種々の形状とすることができる。具体的には、例えば、図６（ａ）に示すラベルシール２１のように、ミシン目１３を挟んでシール面１１が非対称となる形状としてもよい。また、摘み片１２については、図６（ａ）に示すラベルシール２１のように、エアゾール缶２側に偏倚させた形状としてもよく、図６（ｂ）に示すラベルシール２２のように、カバーキャップ３側に偏倚させた形状としてもよい。また、例えば図６（ｃ）に示す楕円状のラベルシール２３のように、シール面１１と摘み片１２とが一体の形状を為すようにしてもよい。
【００４３】
なお、本考案は、上述したエアゾール缶２に限らず、本体容器については、ステムの先端部にノズルヘッドが取り付けられたポンプ容器（ノンエアゾール型容器）などであってもよい。
【図面の簡単な説明】
【００４４】
【図１】図１は、本発明を適用した封緘用ラベルシール付きキャップ容器の一例を示す斜視図である。
【図２】図２は、図１に示すラベルシールを拡大して示す側面図である。
【図３】図３は、図１に示すラベルシールの変形例を示す平面図である。
【図４】図４は、図１に示すラベルシールの別の変形例を示す平面図である。
【図５】図５は、図１に示すラベルシールの更に別の変形例を示す平面図である。
【図６】図６は、本発明を適用した封緘用ラベルシールの応用例を示す平面図である。
【符号の説明】
【００４５】
１…キャップ容器  ２…エアゾール缶（本体容器）  ３…カバーキャップ  ４…押しボタン  ４ａ…ノズル  １０…ラベルシール  １１…シール面（接着面部）  １２…摘み片（非着面部）  １３…ミシン目（破断目）  １４…切れ込み
【図１】
0003131891.tif 000003
【図２】
0003131891.tif 000004
【図３】
0003131891.tif 000005
【図４】
0003131891.tif 000006
【図５】
0003131891.tif 000007
【図６】
0003131891.tif 000008